(57)【特許請求の範囲】
【請求項１】
トラクタの機体前端部に備えられたバランスウェイト取付部の前面部に、機体前方に突出するように取付けられるトラクタ用バランスウェイトであって、
本体部と、前記本体部の上部に形成され前記バランスウェイト取付部の前面部の上部に上方から係合する係合部とを備えて、前記係合部を前記バランスウェイト取付部の前面部の上部に係合させた状態で、前記バランスウェイト取付部の前面部に当接して姿勢が維持されるように構成し、
前記係合部を前記バランスウェイト取付部の前面部の上部に係合させた状態で、前記本体部の底面における前記バランスウェイト取付部の前面部側の端部から下方に延出され、その後端部が前記バランスウェイト取付部の前面部に当接される延出部と、当該延出部に機体前後方向に向く連結用の孔部とを備えて、機体前方から前記孔部を介して前記延出部を前記バランスウェイト取付部の前面部にボルト連結可能に構成し、
前記係合部を前記バランスウェイト取付部の前面部の上部に係合させた状態において、前記本体部における前記バランスウェイト取付部の前面部に対向する後端部と、前記延出部における後端部とを、上下方向に沿って面一となるように同一面に形成し、
前記延出部の前記後端部から前端部までの幅を、前記本体部の前記後端部から前端部までの幅よりも小さくしてあるトラクタ用バランスウェイト。
【請求項２】
前記係合部を前記バランスウェイト取付部の前面部の上部に係合させた状態で、前記本体部の底面が左右全幅に亘って前記延出部から機体前方に向けて斜め上方に傾斜するように形成されている請求項１記載のトラクタ用バランスウェイト。
【請求項３】
前記係合部を前記バランスウェイト取付部の前面部の上部に係合させた状態で、前記本体部における上部の後面が機体前方に向けて斜め上方に傾斜するように形成されている請求項１又は２記載のトラクタ用バランスウェイト。
【発明の詳細な説明】
【技術分野】
【０００１】
本発明は、機体の前後の重量バランスを保つために機体前部に取付けるトラクタ用バランスウェイトに関する。
【背景技術】
【０００２】
トラクタは、機体後部に耕耘装置やプラウ等の作業装置が取付けられたり、耕耘装置やプラウ等で耕耘作業や耕起作業をすると、機体前部が浮き上がる場合がある。こういった機体の前部の浮き上がりを防止するため、通常、バランスウェイトをトラクタの前端部に取付けている。トラクタへのバランスウェイトの取付けは、特許文献１のように、機体前端部に着脱自在なフロントバンパを取付けた後、当該フロントバンパの上方からバランスウェイトを係合し、上下方向に貫通するボルトによりバランスウェイトをフロントバンパに固定するものがある。
【先行技術文献】
【特許文献】
【０００３】
【特許文献１】実公平２−１８７９０号公報
【発明の概要】
【発明が解決しようとする課題】
【０００４】
機体前端部に取付けるバランスウェイトは、機体の前後の重量バランスを改善するためのものであるので、機体前方へのオフセットが大きいほど、その効果は大きい。しかしながら、バランスウェイトの機体前方へのオフセットが大きいと、機体の前方にバランスウェイトが大きく突出することとなり、特に狭い圃場や畦の高い圃場では、トラクタの前部のバランスウェイトが旋回時や作業時に畦に接触し易くなる。そのため、畦との接触を回避するあまりトラクタの作業性が低下したり、畦との接触により畦を崩したりすることがある。
【０００５】
そこで、本発明は、機体前端部に取付けた際に、機体の前後の重量バランスを充分改善でき、かつ、機体前方へのオフセットが極力小さいトラクタ用バランスウェイトの提供を目的としている。
【課題を解決するための手段】
【０００６】
本発明に係るトラクタ用バランスウェイトの第１特徴構成は、トラクタの機体前端部に備えられたバランスウェイト取付部の前面部に、機体前方に突出するように取付けられるトラクタ用バランスウェイトであって、
本体部と、前記本体部の上部に形成され前記バランスウェイト取付部の前面部の上部に上方から係合する係合部とを備えて、前記係合部を前記バランスウェイト取付部の前面部の上部に係合させた状態で、前記バランスウェイト取付部の前面部に当接して姿勢が維持されるように構成し、
前記係合部を前記バランスウェイト取付部の前面部の上部に係合させた状態で、前記本体部の底面における前記バランスウェイト取付部の前面部側の端部から下方に延出され、その後端部が前記バランスウェイト取付部の前面部に当接される延出部と、当該延出部に機体前後方向に向く連結用の孔部とを備えて、機体前方から前記孔部を介して前記延出部を前記バランスウェイト取付部の前面部にボルト連結可能に構成し、
前記係合部を前記バランスウェイト取付部の前面部の上部に係合させた状態において、前記本体部における前記バランスウェイト取付部の前面部に対向する後端部と、前記延出部における後端部とを、上下方向に沿って面一となるように同一面に形成し、
前記延出部の前記後端部から前端部までの幅を、前記本体部の前記後端部から前端部までの幅よりも小さくしてある点にある。
【０００７】
〔作用〕
バランスウェイトは、本体部と、本体部の上部に形成されバランスウェイト取付部の前面部の上部に上方から係合する係合部とを備えるので、トラクタの機体前端部に備えられたバランスウェイト取付部にバランスウェイトを取付けるには、まず、係合部をバランスウェイト取付部の前面部の上部に係合させるとともに、バランスウェイト取付部の前面部に当接させてバランスウェイトの姿勢を維持させる。その後、本体部から下方に延出された延出部に設けられた孔部を介して、機体前方から延出部をバランスウェイト取付部の前面部にボルト連結して、バランスウェイトを固定する。
【０００８】
バランスウェイトをバランスウェイト取付部に取付けた状態において、延出部が本体部の底面におけるバランスウェイト取付部の前面部側から下方に延出しているので、バランスウェイトの延出部の前方は開放されている（本体部の底面を高い位置に設定することができる）。したがって、バランスウェイトの前下部は外部の障害物（例えば畦等）と衝突し難い。バランスウェイトをバランスウェイト取付部に取付ける際には、係合部をバランスウェイト取付部の上部に係合し、バランスウェイト取付部の前面部に本体部を当接させてバランスウェイトの姿勢を維持させてから、延出部に設けられた孔部を介してバランスウェイト取付部の前面部に機体前側からボルト連結するので、バランスウェイトの取付け作業が簡単になる。また、本体部の前後方向の厚みに比べて厚みの薄い延出部とバランスウェイト取付部とをボルト連結するので、短いボルトが使用できる。
【０００９】
〔効果〕
このように、バランスウェイトをバランスウェイト取付部に取付けた状態において、機体旋回時にバランスウェイトの前下部が畦等と衝突し難くなり、トラクタの走行性能を向上させることができる。また、バランスウェイトのバランスウェイト取付部への取付け作業も簡易となり、バランスウェイトの取付け作業の作業性も向上する。
【００１０】
本発明に係るトラクタ用バランスウェイトの第２特徴構成は、前記係合部を前記バランスウェイト取付部の前面部の上部に係合させた状態で、前記本体部の底面が左右全幅に亘って前記延出部から機体前方に向けて斜め上方に傾斜するように形成されている点にある。
【００１１】
〔作用〕
バランスウェイトをバランスウェイト取付部に取付けた状態で、バランスウェイトの延出部の前方である前下部が機体前上方に向けてさらに開放されることとなり、バランスウェイトが外部の障害物に衝突し難くなる。
【００１２】
〔効果〕
このように、バランスウェイトの前下部が機体前上方に向けてさらに開放されることで、バランスウェイトの前下部が畦等に一層衝突し難くなり、トラクタの走行性能をより向上させることができる。また、バランスウェイトの着脱時の延出部の前側の操作空間も広くなって、バランスウェイトの着脱が一層容易になり、バランスウェイトの取付け作業の作業性も向上する。
【００１３】
本発明に係るトラクタ用バランスウェイトの第３特徴構成は、前記係合部を前記バランスウェイト取付部の前面部の上部に係合させた状態で、前記本体部における上部の後面が機体前方に向けて斜め上方に傾斜するように形成されている点にある。
【００１４】
〔作用〕
バランスウェイトの上部の後面が機体前方に向けて斜め上方に傾斜するように形成されているので、バランスウェイトを機体前面部に近接させて取付けても、バランスウェイトがエンジンボンネットの前面に形成された吸気口を閉鎖することが少ない。また、バランスウェイトを機体前面部に近接させた状態で取付けることができるので、機体前端部からのバランスウェイトの突出を抑えることができる。
【００１５】
〔効果〕
こうして、バランスウェイトを取付けるに当たって、エンジン冷却風の吸気を阻害しない状態で、かつ、機体の前方への突出を極力抑えた状態でバランスウェイトを取付けることができる。その結果、エンジンのオーバーヒートを抑制でき、機体旋回時にバランスウェイトが畦等に衝突し難くなり、トラクタの走行性能を向上させることができる。
【図面の簡単な説明】
【００１６】
【図１】トラクタの側面図
【図２】トラクタの前部の平面図
【図３】トラクタの前部におけるバランスウェイトの取付構造を示す縦断側面図
【図４】一部のバランスウェイトを取り外した状態における要部の斜視図
【図５】車体前部に取付けられたバランスウェイト取付け部を示す横断平面図
【図６】バランスウェイト取付部に取付けられたバランスウェイトを示す正面図
【発明を実施するための形態】
【００１７】
以下、本発明の実施形態を図面に基づいて説明する。
【００１８】
図１は、バランスウェイト１０を取付けるトラクタ１の全体を示している。トラクタ１は、前車軸に操向輪であるホイール型の前輪２を備え、後車軸にクローラ走行装置３を備えるセミクローラ型トラクタである。クローラ走行装置３は、後車軸に取り付けられる駆動輪３ａと、該駆動輪３ａの下側に前後方向に配置されるトラックフレーム３ｂと、このトラックフレーム３ｂの前部及び後部に回転自在に設けられる従動輪３ｃと、トラックフレーム３ｂの前後中間部の下側に回転自在に設けられる複数の転動輪３ｄと、駆動輪３ａ、前後従動輪３ｃ及び転動輪３ｄに亘って巻回されたクローラベルト３ｅとを有している。
【００１９】
図１〜図３に示すように、トラクタ１の機体前部に位置する機体フレーム４の前端部には、バランスウェイト取付部２０がボルト連結されて固定されている。そして、機体後部に連結される耕耘装置等の作業装置との重量バランスを保つために、バランスウェイト取付部２０に対して機体横幅方向に複数個のバランスウェイト１０がボルト連結されて取り付けられるようになっている。
【００２０】
図３〜図５に示すように、機体フレーム４の前端部に備えられるバランスウェイト取付部２０には、機体フレーム４に対向する面に凹部２１が形成されており、機体前方に向く面には上下中央部に連結用の孔部２２が複数設けられている。バランスウェイト取付部２０の前面部の上部には、バランスウェイト１０の係合部１２と係合する被係合部２３が上方に突出して形成されており、被係合部２３にはバランスウェイト１０の左右方向の位置決め用の凹部２３ａが下方に溝状に凹入する形態で複数形成されている。機体前方に向く面の下部には左右幅方向にバランスウェイト１０との連結用の孔部２４が複数設けられており、孔部２４の内部には雌ネジが形成されている。なお、バランスウェイト取付部２０は鋳物製であり、バランスウェイトとしても機能する。
【００２１】
図３及び図４に示すように、バランスウェイト１０は鋳物によって一体成形されており、全体が平板状であって、本体部１１と、本体部１１の上部に形成されて、バランスウェイト取付部２０の上部に係合するフック状の係合部１２と、本体部１１の上部に持ち運びを容易にする取手１３とを備える。係合部１２には、バランスウェイト取付部２０の上部の被係合部２３の凹部２３ａに対応する凸部１２ａが形成されている。取手１３の左右幅はバランスウェイト１０の幅の略半分の幅に設定されており、図２に示すように、バランスウェイト１０を並べて装着した場合であっても無理なく取手１３が握れるように構成されている。
【００２２】
また、バランスウェイト１０は、係合部１２をバランスウェイト取付部２０の前面部の上部に係合させた状態において、本体部１１の底面１６のバランスウェイト取付部２０の前面部側の端部から下方に延出された延出部１４を備える。延出部１４には、機体前後方向に向く連結用の孔部１５が形成されている。図３に示すように、機体前後方向における延出部１４の幅Ｗ１は、本体部１１の幅Ｗ２の１／２よりも小さい幅となっている。
【００２３】
図３〜図６に示すように、トラクタ１の機体フレーム４の前端部にバランスウェイト取付部２０を取付けるには、バランスウェイト取付部２０を機体フレーム４の前端部に重ね合わせ、機体前側からバランスウェイト取付部２０の孔部２２にボルトＡを挿入して連結する。バランスウェイト取付部２０の前面部には、上下中間部に浅い凹部２６が後方に凹入し左右側方が開放される形態で形成されており、凹部２６には、更にボルトＡの頭が収まるボルトＡ用の凹部２６ａが後方に円柱状に凹入する形態で形成されており、ボルトＡ用の凹部２６ａに孔部２２が形成されている。したがって、バランスウェイト取付部２０を機体フレーム４の前端部にボルトＡで連結した際に、ボルトＡの頭は凹部２６から突出しない。また、バランスウェイト取付部２０の前面部の凹部２６の下部には横長の突部２７が形成されており、突部２７にバランスウェイト１０との連結用の孔部２４が設けられている。
【００２４】
機体フレーム４の前端部に固定されたバランスウェイト取付部２０に、バランスウェイト１０を取付けるには、まず、係合部１２をバランスウェイト取付部２０の被係合部２３に上方から係合させる。そして、バランスウェイト１０の延出部１４をバランスウェイト取付部２０の横長の突部２７に当接してバランスウェイト１０の姿勢を維持させる。その後、機体前方から延出部１４の孔部１５を介して、延出部１４をバランスウェイト取付部２０の横長の突部２７にボルトＢで連結し、バランスウェイト１０をバランスウェイト取付部２０に固定する。
【００２５】
図５及び図６に示すように、バランスウェイト１０は、バランスウェイト取付部２０に対して左右幅方向に最大４個取付け可能に構成されている。したがって、トラクタ１の作業状況等に応じて、バランスウェイト１０の個数を自由に変更して、機体の前後の重量バランスを調整することができる。
【００２６】
図３及び図４に示すように、バランスウェイト１０は、係合部１２をバランスウェイト取付部２０の前面部の上部の被係合部２３に係合させた状態において、本体部１１の底面１６が左右全幅に亘って延出部１４から機体前方上方に向けて斜め上方に傾斜するように形成され、この傾斜した底面１６の左右側方が開放されるように構成されている。このようにバランスウェイト１０が形成されていると、バランスウェイト１０の延出部１４の前方である本体部１１の下部が前上方に向けて大きく開放されることとなる。したがって、バランスウェイト１０の下部と畦との衝突をより一層抑制することができる。また、バランスウェイト１０の着脱時における延出部１４の前側の操作空間が広くなるので、バランスウェイト１０の着脱作業が一層容易になる。
【００２７】
また、バランスウェイト１０は、本体部１１における上部の後面１７が機体前方上方に向けて斜め上方に傾斜するように形成されている。このようにバランスウェイト１０が形成されていると、バランスウェイト１０を機体前面部に近接させて取付けても、バランスウェイト１０がエンジンボンネット５の前面に形成されている吸気口６を閉鎖しない。よって、バランスウェイト１０を取付けるに当たって、エンジン冷却風の吸気を阻害しない状態で、かつ、機体の前方に大きく突出させない状態でバランスウェイト１０を取付けることができる。
【００２８】
図３〜図５に示すように、バランスウェイト取付部２０の前面部に浅い凹部２６が形成されているので、バランスウェイト１０の係合部１２をバランスウェイト取付部２０の前面部の上部の被係合部２３に係合させた状態において、バランスウェイト１０がバランスウェイト取付部２０の前面部全体ではなく、凹部２６の上方部分（被係合部２３）と下方部分（横長の突部２７）に上下方向で離れた位置で当接して支持される。すなわち、バランスウェイト１０は、バランスウェイト取付部２０の前面部の上方部分と下方部分とで確実に支持されるので、バランスウェイト１０の姿勢が安定的に維持される。また、孔部２２に挿入される連結用のボルトＡの頭が突出していたとしても、この凹部２６によって、バランスウェイト１０と、突出する連結用のボルトＡの頭との当接を回避することができる。
【００２９】
従来のバランスウェイトは、機体前端面に取付けられた状態において、機体前方に大きく突出しているため、トラクタ１の前輪２の旋回軌跡より外側に存在していた。このため、前輪２が旋回可能であってもバランスウェイトが畦等に接触することがあり、トラクタ１の運転席７から通常視認できないバランスウェイトと畦等の接触に注意を払いつつ旋回することは困難であった。
【００３０】
本発明に係るバランスウェイト１０は、図２に示すように、前輪２が最大切れ角の状態（２点鎖線）において、前輪２の延長線にバランスウェイト１０の前端がほぼ位置するよう構成されている。こうすると、トラクタ１の旋回動作において、前輪２の延長線上に存在するバランスウェイト１０の前端部の位置を予測することができ、また、機体前端部からのバランスウェイト１０の突出が小さいので、バランスウェイト１０が畦等に衝突し難くなる。
【００３１】
〔別実施形態〕
（１）上記の実施形態では、一例として、後輪としてクローラ走行装置３を採用したトラクタ１にバランスウェイト１０を取付けたが、バランスウェイト１０を取付けるトラクタ１は、前輪、後輪共にホイール型の車輪で構成されていてもよい。
【００３２】
（２）上記の実施形態では、バランスウェイト１０はバランスウェイト取付部２０の左右幅方向に複数個取付けが可能な構成を示したが、バランスウェイト１０はバランスウェイト取付部２０に対して１つだけ取付けるものであってもよい。
【００３３】
（３）上記の実施形態では、バランスウェイト取付部２０の前面部の上下中間部に凹部２６を形成したが、バランスウェイト１０のバランスウェイト取付部２０の前面部に対向する面の上下中間部に凹部を形成して、バランスウェイト１０の上下部分のみをバランスウェイト取付部２０に支持させるようにしてもよい。
【００３４】
（４）上記の実施形態では、４つのバランスウェイト１０を左右に取付可能なバランスウェイト取付部２０を示したが、バランスウェイト取付部２０をトラクタ１の種類等に応じて交換し、バランスウェイト１０の取付可能個数を変更できるように構成してもよい。
【産業上の利用可能性】
【００３５】
本発明に係るバランスウェイトは、作業時等に機体前部が浮き上がるトラクタの機体前後の重量バランスを改善するために広く用いることができる。
【符号の説明】
【００３６】
１  トラクタ
４  機体フレーム
６  吸気口
１０  バランスウェイト
１１  本体部
１２  係合部
１４  延出部
１５  孔部
１６  底面
１７  後面
２０  バランスウェイト取付部
２１  凹部
２２  孔部
２３  被係合部
２４  孔部
【図１】
0005451468.tif 000002
【図２】
0005451468.tif 000003
【図３】
0005451468.tif 000004
【図４】
0005451468.tif 000005
【図５】
0005451468.tif 000006
【図６】
0005451468.tif 000007